(57)【特許請求の範囲】
【請求項１】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムにおける通話方法であって、
前記送信元携帯端末機（４１）が、位置情報通知サービスシステム（１０）から間欠的に自装置の位置情報データを取得するステップ（２）と、
前記送信元携帯端末機（４１）が、送信の開始タイミングで、前記取得した自装置の位置情報データを前記サーバ（２１，２２）に送信するステップ（５）と、
前記送信先携帯端末機（５１，６１，７１）が、前記位置情報データを受信したサーバ（２１，２２）から、セッション確立のタイミングで当該位置情報データを受信するステップ（６）と、
前記送信先携帯端末機（５１，６１，７１）が、前記発言者を判別するために、前記位置情報データに基づいて、前記送信元携帯端末機（４１）の現在位置情報を画面上に表示するステップ（８）と有することを特徴とする通話方法。
【請求項２】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムにおける通信方法であって、前記サーバ（２１，２２）が、
前記送信元携帯端末機（４１）から、送信の開始タイミングで、送信先又は送信先グループを特定する情報を受信するステップ（Ｓ３，Ｓ５）と、
前記送信先又は送信先グループを特定する情報に基づいて、前記送信先の携帯端末機（５１，６１，７１）の電話番号を特定するステップ（Ｓ７）と、
前記送信元携帯端末機（４１）から、前記送信の開始タイミングで、該送信元の携帯端末機の位置情報データを受信するステップ（Ｓ１０）と、
前記特定された送信先電話番号の携帯端末機（５１，６１，７１）に向けてセッション確立要求を送信するステップ（Ｓ１３）と、
前記送信先携帯端末機（５１，６１，７１）からセッション確立要求に応答する信号を受信するステップ（Ｓ１４）と、
前記送信元携帯端末機（４１）から受信した位置情報データを前記送信先携帯端末機（５１，６１，７１）に送信するステップ（Ｓ１６）と、
を含むことを特徴とする通話方法。
【請求項３】
前記サーバ（２１，２２）が、前記発言者を判別させるために、前記送信の開始タイミングで、前記送信元携帯端末機（４１）の現在位置情報を前記送信先携帯端末機（５１，６１，７１）に表示させるステップ（Ｓ１８）を更に含む、請求項２に記載の通話方法。
【請求項４】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムであって、
前記送信元携帯端末機（４１）は、
位置情報通知サービスシステム（１０）から間欠的に自装置の位置情報データを取得する位置情報取得手段（２）と、
送信の開始タイミングで、前記位置情報取得手段（２）で取得した自装置の位置情報データを前記サーバ（２１、２２）に送信する送信手段（５）とを備え、
前記複数の送信先携帯端末機（５１，６１，７１）の各々は、
前記送信元携帯端末機（４１）から位置情報データを受信したサーバ（２１、２２）から、セッション確立のタイミングで当該位置情報データを受信する受信手段（６）と、
前記発言者を判別するために、前記位置情報データに基づいて、前記送信元携帯端末機（４１）の現在位置情報を画面上に表示する画像表示手段（８）とを備えることを特徴とする移動通信システム。
【請求項５】
前記１対複数間通話が、ＰｏＣ（Ｐｕｓｈ−ｔｏ−Ｔａｌｋ  ｏｖｅｒ  Ｃｅｌｌｕｌａｒ）通話であり、前記送信元携帯端末機（４１）の前記送信手段（５）は、ＰｏＣ通話の開始にあたって自装置の位置情報データを、前記サーバ（２１，２２）を介して前記複数の送信先携帯端末機（５１，６１，７１）に送信する、請求項４に記載の移動通信システム。
【請求項６】
前記送信元携帯端末機（４１）は、前記ＰｏＣ通話の開始タイミングで、前記送信手段（５）による位置情報データの送信を許可又は禁止する判定手段（３，４）を更に備える、請求項５に記載の移動通信システム。
【請求項７】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムであって、前記サーバ（２１，２２）は、
前記送信元携帯端末機（４１）から、送信の開始タイミングで、該送信元の携帯端末機の位置情報データと送信先又は送信先グループを特定する情報とを受信する受信手段（２１１）と、
前記送信先又は送信先グループを特定する情報に基づいて送信先の携帯端末機の電話番号を特定するグループ管理手段（２２１）と、
前記特定された送信先電話番号の携帯端末機（５１，６１，７１）に向けてセッション確立要求を送信し、前記受信手段（２１１）が該送信先携帯端末機（５１，６１，７１）からセッション確立要求に応答する信号を受信すると、前記送信元携帯端末機（４１）から受信した位置情報データを前記送信先携帯端末機（５１，６１，７１）に送信する送信手段（２１３）と、
前記送信元携帯端末機と前記複数の送信先携帯端末機との間の通話を制御する通話制御部（２１２）とを備えることを特徴とする移動通信システム。
【請求項８】
前記サーバ（２１，２２）は、前記発言者を判別させるために、前記送信の開始タイミングで、前記送信元携帯端末機（４１）の現在位置情報を前記送信先携帯端末機（５１，６１，７１）に表示させる手段を更に含む、請求項７に記載の移動通信システム。
【請求項９】
前記１対複数間通話がＰｏＣ（Ｐｕｓｈ−ｔｏ−Ｔａｌｋ  ｏｖｅｒ  Ｃｅｌｌｕｌａｒ）通話であり、前記サーバが、ＰｏＣサーバ（２１）と、ＧＬＭＳ（Ｇｒｏｕｐ  ａｎｄ  Ｌｉｓｔ  Ｍａｎａｇｅｍｅｎｔ  Ｓｅｒｖｅｒ）サーバ（２２）とにより構成される、請求項７または８に記載の移動通信システム。
【請求項１０】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムにおける、前記携帯端末機（４１，５１，６１，７１）を作動させるコンピュータのためのプログラムであって、前記コンピュータに、
位置情報サービスシステム（１０）から間欠的に自装置の位置情報データを取得するステップと、
送信の開始タイミングで、前記取得した自装置の位置情報データを前記サーバ（２１，２２）に送信するステップと、
前記位置情報データを受信したサーバ（２１，２２）から、セッション確立のタイミングで当該位置情報データを受信するステップと、
前記発言者を判別するために、前記位置情報データに基づいて、前記送信元携帯端末機（４１）の現在位置情報を画面上に表示するステップと、
を実行させることを特徴とするプログラム。
【請求項１１】
発言者の１の送信元携帯端末機（４１）と、受信者の複数の送信先携帯端末機（５１，６１，７１）と、前記送信元携帯端末機と前記複数の送信先携帯端末機との間で行われる１対複数間通話を制御するサーバ（２１，２２）と、を備える移動通信システムにおける、前記サーバ（２１，２２）を作動させるコンピュータのためのプログラムであって、前記コンピュータに、
前記送信元携帯端末機（４１）から、送信の開始タイミングで、送信先又は送信先グループを特定する情報を受信するステップ（Ｓ３，Ｓ５）と、
前記送信先又は送信先グループを特定する情報に基づいて、前記送信先の携帯端末機（５１，６１，７１）の電話番号を特定するステップ（Ｓ７）と、
前記送信元携帯端末機（４１）から、前記送信の開始タイミングで、該送信元携帯端末機の位置情報データを受信するステップ（Ｓ１０）と、
前記特定された送信先電話番号の携帯端末機（５１，６１，７１）に向けてセッション確立要求を送信するステップ（Ｓ１３）と、
前記送信先携帯端末機（５１，６１，７１）からセッション確立要求に応答する信号を受信するステップ（Ｓ１４）と、
前記送信元携帯端末機（４１）から受信した位置情報データを前記送信先携帯端末機（５１，６１，７１）に送信するステップ（Ｓ１６）と、
を実行させることを特徴とするプログラム。
【請求項１２】
前記コンピュータに、前記発言者を判別させるために、前記送信の開始タイミングで、前記送信元携帯端末機（４１）の現在位置情報を前記送信先携帯端末機（５１，６１，７１）に表示させるステップ（Ｓ１８）を更に実行させる、請求項１１に記載のプログラム。
【請求項１３】
一人の発言者と二人以上の受信者との３以上の携帯端末機（４１，５１，６１，７１）間で行われる１対複数間通話を制御するサーバ（２１，２２）を備える移動通信システムに使用される前記携帯端末機であって、
位置情報通知サービスシステム（１０）から間欠的に自装置の位置情報データを取得する位置情報取得手段（２）と、
送信の開始タイミングで、前記位置情報取得手段（２）で取得した自装置の位置情報データを前記サーバ（２１、２２）に送信する送信手段（５）と、
送信元携帯端末機（４１）から位置情報データを受信したサーバ（２１、２２）から、セッション確立のタイミングで当該位置情報データを受信する受信手段（６）と、
前記発言者を判別するために、前記位置情報データに基づいて、前記送信元携帯端末機（４１）の現在位置情報を画面上に表示する画像表示手段（８）と、
を備えることを特徴とする携帯端末機。
【請求項１４】
前記１対複数間通話が、ＰｏＣ（Ｐｕｓｈ−ｔｏ−Ｔａｌｋ  ｏｖｅｒ  Ｃｅｌｌｕｌａｒ）通話であり、前記送信手段（５）は、ＰｏＣ通話の開始にあたって自装置の位置情報データを前記サーバ（２１，２２）に送信する、請求項１３に記載の携帯端末機。
【請求項１５】
前記ＰｏＣ通話の開始タイミングで、前記送信手段（５）による位置情報データの送信を許可又は禁止する判定手段（３，４）を更に備える、請求項１４に記載の携帯端末機。
【請求項１６】
発言者の１の送信元携帯端末機（４１）と受信者の複数の送信先携帯端末機（５１，６１，７１）との間で行われる１対複数間通話を制御するサーバ（２１，２２）であって、
前記送信元携帯端末機（４１）から、送信の開始タイミングで、該送信元携帯端末装置の位置情報データと送信先又は送信先グループを特定する情報とを受信する受信手段（２１１）と、
前記送信先又は送信先グループを特定する情報に基づいて、送信先の携帯端末機の電話番号を特定するグループ管理手段（２２１）と、
前記特定された送信先電話番号の携帯端末機（５１，６１，７１）に向けてセッション確立要求を送信し、前記受信手段（２１１）が該送信先携帯端末機（５１，６１，７１）からセッション確立要求に応答する信号を受信すると、前記送信元携帯端末機（４１）から受信した位置情報データを前記送信先の携帯端末機（５１，６１，７１）に送信する送信手段（２１３）と、
前記送信元携帯端末機と前記複数の送信先携帯端末機との間の通話を制御する通話制御手段（２１２）とを備えることを特徴とするサーバ。
【請求項１７】
前記発言者を判別させるために、前記送信の開始タイミングで、前記送信元携帯端末機（４１）の現在位置情報を前記送信先携帯端末機（５１，６１，７１）に表示させる手段を更に含む、請求項１６に記載のサーバ。
【請求項１８】
前記１対複数間通話がＰｏＣ（Ｐｕｓｈ−ｔｏ−Ｔａｌｋ  ｏｖｅｒ  Ｃｅｌｌｕｌａｒ）通話であり、前記サーバが、ＰｏＣサーバ（２１）と、ＧＬＭＳ（Ｇｒｏｕｐ  ａｎｄ  Ｌｉｓｔ  Ｍａｎａｇｅｍｅｎｔ  Ｓｅｒｖｅｒ）サーバ（２２）とにより構成される、請求項１６又は１７に記載のサーバ。
【発明の詳細な説明】
【技術分野】
【０００１】
本発明は、移動通信システム、その通話方法及びプログラムに関し、特に、ＰｏＣ（Ｐｕｓｈ−ｔｏ−Ｔａｌｋ  ｏｖｅｒ  Ｃｅｌｌｕｌａｒ）通話システムを含む移動通信システムに好適な移動通信システム、その通話方法及びプログラム・ソフトウェアに関する。
【背景技術】
【０００２】
１対複数間の通話を可能とするＰｏＣ通話システムが知られている。ＰｏＣ通話システムでは、携帯端末機をトランシーバのように利用して通話を行うものである。すなわち、ＰｏＣ通話システムにおいては、通話者はボタンを押して移動通信システムを制御するＰｏＣサーバに向けて通話を送信し、ＰｏＣサーバは、この通話を送信先（相手側）の携帯端末機に送信している。
【０００３】
ところで、１対複数間の携帯電話機によるＰｏＣ通話においては、ＴＶ会議とは異なり、初対面などのために名前を把握していない発言者の場合には、次のような困難がある。すなわち、発言者音声は発言者名称などのディスプレイ表示のみでは、発言者の判別が困難である。このため、多人数が参加する会議や初対面の会議などでは、通話（発言）を行っている送信元のユーザ（発言者）が何処の誰であるかを知りたいという要望がある。
【０００４】
総務省の情報通信審議会が２００４年５月１７日に公開した「携帯電話からの緊急通報における発信者位置情報通知機能に係わる技術的条件」の報告書案では、「２００７年４月以降、携帯電話事業者が新規に提供する第３世代携帯電話端末については、原則としてＧＰＳ測位方式による位置情報通知機能に対応する」としている。すなわち、今後の携帯電話には、位置情報通知機能が標準搭載され、緊急時の通報にはこの位置情報通知機能が利用できる。
【０００５】
特開２００２−２７１８３９号公報（以下、「特許文献１」と呼ぶ）は、移動携帯端末を利用してユーザの居場所を第３者に通知する「情報管理システム」を開示している。特許文献１に記載の技術では、ユーザ間の双方向コミュニケーションを支援することを目的としている。ユーザが、自身の移動携帯端末で場所情報の入力を指示すると、移動携帯端末がＧＰＳ衛星の信号から現在場所を求め、その場所情報をサーバに送信することにより、ユーザの現在場所がサーバに登録される。サーバは、現在場所を登録したユーザが指定した第３者の移動端末装置に対して、登録されたユーザの現在場所を通知する。
【０００６】
また、特開２００２−２６１９８２号公報（以下、「特許文献２」と呼ぶ）は、所定の連絡先に通報者の位置情報等を迅速に伝える「緊急通報システム」を開示している。通報者は、発信装置を身に付け、また携帯電話装置を所持する。非常時に通報者が発信装置のスイッチを押すと、発信装置はトリガー信号を送信する。携帯電話装置は、トリガー信号を受信したならば、ＧＰＳ信号により携帯電話装置の位置情報を計算する。続いて、携帯電話装置は、位置情報および携帯電話装置の電話番号等の情報を、電話網を介して管理サーバに送信する。管理サーバは、携帯電話装置から受信した位置情報等を、プッシュ型配信によって端末装置に送信する。
【０００７】
特開２００５−２３４６６６号公報（対応米国特許公開第２００５／０２５２７３号）（以下、「特許文献３」と呼ぶ）は、ＰｏＣシステムにおける通信内容の記録技術を開示している。この特許文献３に開示されたＰｏＣシステムでは、ＰｏＣのグループ通信に際して、各セッションの間にやり取りされる通信内容を記録する。記録は、記録が必要であると判定される場合だけ行われる。発話毎に記録の可否を変更することもできる。通信内容は、セッション識別子、発信者識別子によりインデックス化され、セッションや発信者を指定して通信内容を取り出すことができる。
【０００８】
位置情報通知機能を有する携帯端末装置に搭載される位置情報機能を利用して、ＰｏＣ通話システムで通話者の特定に関する前記要望に応えることができれば、便利である。ここで、特許文献１に記載された技術を利用し、位置情報を予め各会議の参加者に送信しておけば、各参加者は、他の参加者がどの位置にいるかを判断することができる。
【先行技術文献】
【特許文献】
【０００９】
【特許文献１】特開２００２−２７１８３９号公報
【特許文献２】特開２００２−２６１９８２号公報
【特許文献３】特開２００５−２３４６６６号公報
【発明の概要】
【発明が解決しようとする課題】
【００１０】
しかしながら、各参加者がそれぞれ通話を行うＰｏＣ（Ｐｕｓｈ−ｔｏ−Ｔａｌｋ  ｏｖｅｒ  Ｃｅｌｌｕｌａｒ）通話システムにおいては、会議の参加者は、初対面などのために名前を把握していない発言者の場合には、発言者音声や位置情報などのディスプレイ表示のみでは、発言者を判別することが困難である。
【００１１】
特許文献２は、所定の連絡先に通報者の位置情報等を迅速に伝える技術的思想を開示するのみで、会議の発言者を判別する技術については何ら開示していない。
【００１２】
特許文献３は、通信内容を後から確認することを可能とする技術的思想を開示するのみで、特許文献２と同様に、会議の発言者を判別する技術については何ら開示していない。
【００１３】
上記に鑑み、本発明の目的は、ＰｏＣ通話システムを使った１対複数間の携帯端末機による通信において、送信元（発言者）の現在位置情報を送信先に自動的に通知することにより、１対複数間の通信をより快適に行うことが出来る移動通信システムを提供することにある。
【課題を解決するための手段】
【００１４】
上記目的を達成するために、本発明の第１の態様に係る移動通信システムは、発言者の１の送信元携帯端末機と、受信者の複数の送信先携帯端末機と、前記送信元携帯端末機と前記複数の送信先携帯端末機との間で行われる１対複数間通話を制御するサーバを備える移動通信システムであって、前記送信元携帯端末機は、位置情報通知サービスシステムから間欠的に自装置の位置情報データを取得する位置情報取得手段と、送信の開始タイミングで、前記位置情報取得手段で取得した自装置の位置情報データを前記サーバに通知する送信手段とを備え、前記複数の送信先携帯端末の各々は、前記送信元携帯端末機から位置情報データを受信したサーバから、セッション確立のタイミングで当該位置情報データを受信する受信手段と、前記発言者を判別するために、前記サーバから受信した位置情報データに基づいて、前記送信元携帯端末機の現在位置情報を画面上に表示する画像表示手段とを備えることを特徴とする。
【００１５】
また、本発明の第２の態様に係る移動通信システムは、発言者の１の送信元携帯端末機と、受信者の複数の送信先携帯端末機と、前記送信元携帯端末機と前記複数の送信先携帯端末機との間で行われる１対複数間通話を制御するサーバと、を備える移動通信システムであって、前記サーバは、前記送信元携帯端末機から、送信の開始タイミングで、該送信元携帯端末機の位置情報データと送信先又は送信先グループを特定する情報とを受信する受信手段と、前記送信先グループを特定する情報に基づいて該送信先の携帯端末機の電話番号を特定するグループ管理手段と、前記特定された送信先電話番号の携帯端末機に向けてセッション確立要求を送信し、前記受信手段が該送信先携帯端末機からセッション確立要求に応答する信号を受信すると、前記送信元携帯端末機から受信した位置情報データを前記送信先携帯端末機に送信する送信手段と、前記送信元携帯端末機と前記複数の送信先携帯端末機との間の通話を制御する通話制御手段とを備えることを特徴とする。
【００１６】
更に、本発明の通話方法は、発言者の１の送信元携帯端末機と、受信者の複数の送信先携帯端末機と、前記送信元携帯端末機と前記複数の送信先携帯端末機との間で行われる１対複数間通話を制御するサーバとを備える移動通信システムにおける通話方法であって、前記送信元携帯端末機が、位置情報通知サービスシステムから間欠的に自装置の位置情報データを取得するステップと、前記送信元携帯端末機が、送信の開始タイミングで、前記取得した自装置の位置情報データを前記サーバに通知するステップと、前記送信先通携帯端末機が、前記位置情報データを受信したサーバから、セッション確立のタイミングで当該位置情報データを受信するステップと、前記送信先携帯端末機が、前記発言者を判別するために、前記位置情報データに基づいて、前記送信先携帯端末機の現在位置情報を画面上に表示するステップと有することを特徴とする。
【００１７】
更に、本発明のプログラムは、発言者の１の送信元携帯端末機と、受信者の複数の送信先携帯端末機と、前記送信元携帯端末機と前記複数の送信先携帯端末機との間で行われる１対複数間通話を制御するサーバと、を備える移動通信システムにおける、前記携帯端末機を作動させるコンピュータのためのプログラムであって、前記コンピュータに、位置情報通知サービスシステムから間欠的に自装置の位置情報データを取得するステップと、送信の開始タイミングで、前記取得した自装置の位置情報データを前記サーバに送信するステップと、前記位置情報データを受信したサーバから、セッション確立のタイミングで当該位置情報データを受信するステップと、前記発言者を判別するために、前記位置情報データに基づいて、前記送信先携帯端末機の現在位置情報を画面上に表示するステップと実行させることを特徴とする。
【発明の効果】
【００１８】
本発明の移動通信システム、通話方法及びプログラムによると、送信元携帯端末機のユーザに負担を掛けることなく、ユーザの位置情報データが送信先携帯端末機のユーザに自動的に通知されるので、１対複数間通話の携帯端末機について円滑でかつ快適な通信が可能になる。
【００１９】
本発明の好ましい態様では、前記１対複数間通話は、ＰｏＣ（Ｐｕｓｈ−ｔｏ−Ｔａｌｋ  ｏｖｅｒ  Ｃｅｌｌｕｌａｒ）通話に利用され、各ＰｏＣ通話者が通話の開始と同時に自装置の位置情報データを送信し、相手側の携帯端末機の表示装置がその現在位置情報を表示する。本構成を採用することにより、各通話の受信者は現在のＰｏＣ通話者が誰であるかを特定することが容易となる。また、携帯端末機のそれぞれは、ユーザが匿名での通話を希望する場合には、ＰｏＣ通話の開始タイミングで、送信手段による位置情報の送信を許可又は禁止する判定手段を更に備えることも本発明の好ましい態様である。
【図面の簡単な説明】
【００２０】
【図１】本発明の一実施形態に係る移動通信システムの構成を示すブロック図である。
【図２】図１に図示した移動通信システムで使用されるＰｏＣ通話システムの構成を示すブロック図である。
【図３】図１に図示した移動通信システムで使用される端末装置の構成を示すブロック図である。
【図４】図１の移動通信システムにおける処理を示すフローチャートである。
【発明を実施するための形態】
【００２１】
以下、発明を実施するための最良の形態について、図面を参照して詳細に説明する。
【００２２】
後述するように、本発明の一実施形態に係る、ＰｏＣ通話システムを含む移動通信システムは、ＰｏＣサーバを備え、基地局を経由して携帯端末機とＰｏＣサーバとを接続している。
【００２３】
図１は、本実施形態例に係る移動通信システムを示すブロック図である。図示の移動通信システムは、位置情報通知サービスシステム１０と、ＰｏＣ通話システム２０と、ＶｏＩＰ（voice over internet protocol）ネットワーク３０と、ＶｏＩＰネットワーク３０に接続される第１乃至第４の携帯端末機４１，５１，６１，７１とから構成される。
【００２４】
ここで、ＶｏＩＰとは、本来データ通信のプロトコルであるＩＰ（internet protocol）上で音声データを転送する技術で、インターネット電話の実現を目指すものをいう。
【００２５】
本例では、携帯端末機の個数が４の場合を例に挙げて説明しているが、携帯端末機の個数は４に限定されないのは勿論である。また、図１では、第１乃至第４の携帯端末機４１，５１，６１，７１を、それぞれ、端末装置Ａ、端末装置Ｂ、端末装置Ｃ、および端末装置Ｄと表している。第１の携帯端末機４１（端末装置Ａ）は送信元の端末装置であり、第２乃至第４の携帯端末機５１，６１，７１（端末装置Ｂ、端末装置Ｃ、端末装置Ｄ）は送信先の端末装置である。
【００２６】
位置情報通知サービスシステム１０は、ＧＰＳ（global positioning system）を代表する位置情報通知サービスシステムを表しており、各携帯端末機に現在位置を特定する信号を通知する役割をもつ。なお、図１では、ＧＰＳシステムで使用される人工衛星が描かれているが、位置情報通知サービスシステム１０としては、位置情報通知機能を持つサービスシステムであれば、ＧＰＳシステムには限定されない。
【００２７】
ＰｏＣ通話システム２０は、ＰｏＣ（Ｐｕｓｈ−ｔｏ−Ｔａｌｋ  ｏｖｅｒ  Ｃｅｌｌｕｌａｒ）サーバ２１と、ＧＬＭＳ（Ｇｒｏｕｐ  ａｎｄ  Ｌｉｓｔ  Ｍａｎａｇｅｍｅｎｔ  Ｓｅｒｖｅｒ）サーバ２２とを備えている。ＰｏＣ通話システム２０は、ＰｏＣサーバ２１とＧＬＭＳサーバ２２との連携により、ＶｏＩＰネットワーク３０を介して１対１間通話、または１対複数間通話のサービスを提供する。ＰｏＣサーバ２１は、通話にあたってセッション管理を行う機能を有する。ＧＬＭＳサーバ２２は、通信グループの管理を行う機能を有する。
【００２８】
第１の携帯端末機４１（送信元の端末装置Ａ）は、位置情報データを通知する側（送信側）の携帯端末機である。第２乃至第４の携帯端末機５１，６１，７１（送信先の端末装置Ｂ、端末装置Ｃ、端末装置Ｄ）は、第１の携帯端末機４１（送信元の端末装置Ａ）の位置情報データが通知される側（受信側）の携帯端末機である。送信元及び送信先の各携帯端末機は、位置情報を通知設定するためのアプリケーションを具備している。
【００２９】
なお、第１乃至第４の携帯端末機４１，５１，６１，７１（端末装置Ａ、端末装置Ｂ、端末装置Ｃ、端末装置Ｄ）に最も近い、通信が可能な基地局は、それぞれ、第１乃至第４の基地局４０，５０，６０，７０である。図１では、第１乃至第４の基地局４０，５０，６０，７０を、それぞれ、基地局Ａ、基地局Ｂ、基地局Ｃ、基地局Ｄで表している。
【００３０】
第１乃至第４の基地局４０、５０、６０、７０は、第１乃至第４の携帯端末機４１、５１、６１、７１が使用可能なＶｏＩＰネットワーク３０によって相互に接続されている。このＶｏＩＰネットワーク３０と接続されたＰｏＣ通話システム２０によって、ＰｏＣ通話が実現される。ＰｏＣ通話システム２０は、ＰｏＣ（Ｐｕｓｈ−ｔｏ−Ｔａｌｋ  ｏｖｅｒ  Ｃｅｌｌｕｌａｒ）サーバ２１とＧＬＭＳ（Ｇｒｏｕｐ  ａｎｄ  Ｌｉｓｔ  Ｍａｎａｇｅｍｅｎｔ  Ｓｅｒｖｅｒ）サーバ２２との連携により、ＩＰネットワークを介して１対１間通話、または１対複数間通話を実現する。本実施形態では、ＰｏＣサーバ２１は、ＰｏＣ通話確立のための通信制御と同時に、送信元の携帯端末機の位置情報データを、複数台の送信先（受信側）携帯端末機に通知する機能を有する。また、その後、任意の携帯端末機から送信されるＰｏＣ通話についても、その送信者の位置情報データを受信し、位置情報を相手側の携帯端末機に送信する。
【００３１】
図２を参照して、ＰｏＣ通話システム２０について説明する。ＰｏＣサーバ２１は、受信部２１１と、ＰｏＣ制御部２１２と、送信部２１３とを有する。ＧＬＭＳサーバ２２は、グループ管理部２２１と、ＰｏＣユーザ電話番号データ管理部２２２とを有する。
【００３２】
ＰｏＣサーバ２１の受信部２１１は、送信元携帯端末機４１からＶｏＩＰネットワーク３０を介してパケット情報を受信する。このパケット情報には、セッション開始要求／送信先電話又は送信先グループＩＤ、セッションＩＤ、送信開始要求、送信元電話番号、位置情報データが含まれる。ＰｏＣ制御部２１２は、ＶｏＩＰネットワーク３０との間で、ＰｏＣ通話制御信号要求／応答を送受信する。また、ＰｏＣ制御部２１２は、ＧＬＭＳサーバ２２に対して送信先グループＩＤ問合せを行う。この送信先グループＩＤ問合せ（送信先又は送信先グループを特定する情報）に基づいて、グループ管理部２２１は送信先の携帯端末機の電話番号を特定する。ＰｏＣユーザ電話番号データ管理部２２２は、ＰｏＣユーザの電話番号のデータを管理する。グループ管理部２２１は、グループＩＤに応じた電話番号データをＰｏＣサーバ２１に通知する。
【００３３】
ＰｏＣサーバ２１の送信部２１３は、ＶｏＩＰネットワーク３０を介して送信先携帯端末機５１、６１、７１にパケット情報を送信する。このパケット情報には、セッション確立要求、セッションＩＤ、および位置情報データが含まれる。なお、受信部２１１は、送信先携帯端末機５１、６１、７１からセッション確立要求に応答する信号を受信する。ＰｏＣ制御部２１２は、送信元携帯端末機４１と送信先携帯端末機５１，６１，７１との間の通話を制御する。
【００３４】
図３は、図１に図示した、ＰｏＣ通話システム２０を含む移動通信システムで使用される携帯端末機の構成を示すブロック図である。
【００３５】
携帯端末機は、位置情報受信アンテナ１と、位置情報制御部２と、メモリ３と、携帯端末機の全体を制御する装置制御部４と、送信部５と、受信部６と、通信用アンテナ７と、ディスプレイ表示部８とを具備している。
【００３６】
位置情報制御部２は、位置情報を通知設定するためのアプリケーションを具備している。そのアプリケーションは、位置情報受信アンテナ１を制御する機能、ＧＰＳに代表される位置情報通知サービスシステム１０との送受信を制御する機能、及び、位置情報データを生成して装置制御部４に引き渡す機能を有する。
【００３７】
装置制御部４は、図示はしないが、ＣＰＵ（中央処理装置）、キャッシュメモリ、及び、割り込みコントローラを備える。位置制御部４は、携帯端末機全体の処理を制御するＯＳ（operating system）に基づいて、携帯端末機を制御する。装置制御部４は、また、位置情報制御部２が取得した位置情報データを、ユーザの選択に基づいてＰｏＣサーバ２１に送信するか否かを選択する。送信部５は、通信用アンテナ７を介して、ＰｏＣ通話の開始要求の送信、位置情報データの送信、ＶｏＩＰ音声通話（送信）を行う役割をもつ。送信部５は、装置制御部４が位置情報データを送信すると決定した際には、その位置情報データを、装置制御部４から受け取り、送信先を特定する情報又は送信先のグループを特定する情報と共に、ＰｏＣ通話開始のタイミング（通話要求）でＰｏＣサーバ２１に自動的に通知する。本移動通信システムは、１対複数のＰｏＣ通話及びＰｏＣデータ通信のみならず、１対１のＰｏＣ通話及びＰｏＣデータ通信も可能である。
【００３８】
受信部６は、通信用アンテナ７を介して、ＰｏＣ通話のセッション確立通知の受信、位置情報データの受信、ＶｏＩＰ音声通話（受信）を行う役割をもつ。受信部６は、通信用アンテナ７を介して、ＰｏＣサーバ２１からＰｏＣ通話要求を受信し、セッション確立通知のタイミングで、送信先の位置情報データをＰｏＣサーバ２１より自動的に受信する機能を有する。ディスプレイ表示部８は、ＰｏＣサーバ２１より自動的に受信した位置情報データで表される位置情報を、画像表示装置（図示せず）に表示する機能を有する。メモリ３は、不揮発領域（ＲＯＭ）／揮発領域（ＲＡＭ）を含み、携帯端末機の制御ＯＳ、アプリケーションを不揮発データとして記憶すると共に、受信したデータなど必要なユーザデータを一時的に格納する。また、ＲＯＭにはユーザ設定データが格納されており、送信側処理で位置情報データを送付するか否かの判定フラグの格納に使用する。
【００３９】
送信先携帯端末機４１から送信された位置情報データにより、相手側（送信元）の携帯端末機５１，６１，７１は、送信先の通話開始のタイミングで、送信先の位置情報が表示されるので、その位置情報に基づいて、現在通話又は通信を行っている送信元（発言者）を特定することが容易になる。なお、位置情報の表示は、地図の他に、地番や、地名、市町村名、ビルヂング名など、地図上で表示されている表示名称で行うことが出来る。各携帯端末機４１，５１，６１，７１は、自装置から通話をする際には、或いは、データを送信する際には、自装置の位置情報データを相手側の携帯端末機に送信するので、受信者は、現在の通話者（発言者）が誰であるかの特定が容易であり、このため快適なＰｏＣ通話が可能になる。
【００４０】
図４は、上記実施形態のＰｏＣ通話システムにおけるフローチャートを示す。図４は、第１の携帯端末機４１（端末装置Ａ）がＰｏＣ通話開始を実行してから、通話相手の第２乃至第４の携帯端末機５１，６１，７１（端末装置Ｂ〜Ｄ）に自分の位置が通知されるまでの流れを時系列に沿って示している。同図は、ＰｏＣ通話クライアントが４台であり、第１の携帯端末機４１（送信側端末Ａ）が、第２乃至第４の携帯端末機５１，６１，７１（３台の受信側端末Ｂ、Ｃ、Ｄ）にＰｏＣ通信を行い、同時に送信側端末Ａの位置情報を知らせる例を示している。
【００４１】
ＰｏＣ通話クライアントに対するサーバは、ＰｏＣサーバ２１とＧＬＭＳサーバ２２とから構成されている。ＰｏＣ通話クライアントの第１の携帯端末機４１（送信側端末Ａ）は、位置情報通知サービスシステム１０から、定期的に自端末の位置情報データを受信している（ステップＳ１）。ＰｏＣ通話クライアントの第１の携帯端末機４１（送信側端末Ａ）が第２乃至第４の携帯端末機５１，６１，７１（端末Ｂ、Ｃ、Ｄ）に対してＰｏＣ通話開始動作を実行すると（ステップＳ２）、第１の携帯端末機４１（端末Ａ）は、ＰｏＣサーバ２１に対して「通話要求」、「ＰｏＣ通話グループリスト」情報を通知する（ステップＳ３）。
【００４２】
ＰｏＣサーバ２１は、上記「通話要求」、「ＰｏＣ通話グループリスト」の受信が正常に行われると、ＧＬＭＳサーバ２２に、「ＰｏＣ通話グループリスト」を通知する（ステップＳ５）。ＧＬＭＳサーバ２２はその通知に対して受信応答を返す（ステップＳ６）。以降、ＰｏＣ通話システム２０では、ＰｏＣサーバ２１とＧＬＭＳサーバ２２とが連携し、ＰｏＣ通話グループ管理が行われる（ステップＳ７）。ＰｏＣサーバ２１は、ＧＬＭＳサーバ２２から受信応答を受け取ると（ステップＳ６）、第１の携帯端末機４１（端末Ａ）へＰｏＣ通話グループ管理確立の通知を行う（ステップＳ４）。その通知（ステップＳ４）をトリガーとして、第１の携帯端末機４１（端末Ａ）は位置情報データ送信の処理を行う（ステップＳ８）。第１の携帯端末機４１（端末Ａ）から位置情報データが送信されると（ステップＳ９）、ＰｏＣサーバ２１は、これを受信し（ステップＳ１０）、それに対する応答を返す（ステップＳ１１）。
【００４３】
ＰｏＣサーバ２１は、位置情報データに対して応答すると（ステップＳ１１）、第２乃至第４の携帯端末機５１，６１，７１（端末Ｂ、Ｃ、Ｄ）に対するセッション確立要求処理に移行し（ステップＳ１２）、第２乃至第４の携帯端末機５１，６１，７１（端末Ｂ、Ｃ、Ｄ）に対してセッション確立要求を送信する（ステップＳ１３）。第２乃至第４の携帯端末機５１，６１，７１（端末Ｂ、Ｃ、Ｄ）は、この要求に対して応答を返す（ステップＳ１４）。これによって、端末間でセッション確立がする（ステップＳ１５）。各携帯端末機４１，５１，６１，７１は、通話グループに含まれる全ての携帯端末機の電話番号等の情報をＰｏＣサーバ２１から受信して、自装置内のメモリ３に格納する。従って、セッション確立以降は、全ての端末間で１対複数間、及び、１対１間のＰｏＣ通話が可能となる。
【００４４】
ＰｏＣサーバ２１は、第２乃至第４の携帯端末機５１，６１，７１（端末Ｂ、Ｃ、Ｄ）から、ステップＳ１４でセッション確立応答を受信すると、位置情報データ送信処理を行う（ステップＳ１６）。ＰｏＣサーバ２１から位置情報データが送信されると（ステップＳ１７）、第２乃至第４の携帯端末機５１，６１，７１（端末Ｂ、Ｃ、Ｄ）は、この位置情報データをステップＳ１８で受信し、自装置内のディスプレイ表示部８上に、第１の携帯端末装置４１（端末Ａ）の位置情報を表示する。
【００４５】
第１の携帯端末機４１（端末装置Ａ）からの通話が終了した後に、グループの他の携帯端末機から、同様にＰｏＣ通話が行われる場合には、その通話を行う携帯端末機の位置情報データが送信され、送信先の表示装置に送信元の位置情報が表示される。
【００４６】
なお、図４では位置情報データを通知する例を示したが、個人情報保護の観点から、位置情報データを送信するか否かの判断は、送信元の端末装置のユーザが自身で設定可能である。このユーザ設定の例としては、携帯端末機の不揮発メモリ３にフラグを設け、装置制御部４は、位置情報データを送信する前にこのフラグを判断する。フラグがＯＮのときには、装置制御部４は、送信部５及び通信用アンテナ７を介して位置情報データを送信する。一方、フラグがＯＦＦのときには、送信制御部４は、位置情報データを送信せず、ダミーデータを送る。ユーザ設定の別例としては、相手先電話番号の先頭に、通知するか否かの識別番号を付ける。これは、従来から使用されているナンバーディスプレイと同じ手法である。
【００４７】
本実施形態によれば、位置情報取得手段を持つ携帯端末機から相手に電話をかけるだけで、自身の位置を通知することが出来る。このため、通話者（発言者）が誰であるかの特定が容易になる。また、送信元の端末ユーザが出張者などの場合には、現在位置を説明する必要がなく、ユーザの負担を削減できる。また、ＰｏＣ通話システムを利用することで、同時に複数人への通知が可能である。
【００４８】
位置情報通知サービスシステム１０については、ＧＰＳシステムに限らず、位置情報通知手段を持つサービスであれば代替が可能である。位置情報データを、例えばメッセージのテキストデータに置き換えれば、通話と同時に相手にメッセージを送ることも可能である。同様に、テキストデータを、音楽データ、画像データに置き換えると、サービスの幅が大きく広がる。
【００４９】
上記実施形態の携帯端末機としては、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）が挙げられ、特に、位置情報通知機能を持つものが利用できる。
【００５０】
以上、本発明をその好適な実施態様に基づいて説明したが、本発明は、上記実施態様の構成にのみ限定されるものではなく、上記実施態様の構成から種々の修正及び変更を施したものも、本発明の範囲に含まれる。
【図１】
0004835875.tif 000002
【図２】
0004835875.tif 000003
【図３】
0004835875.tif 000004
【図４】
0004835875.tif 000005